【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
媒体を保持し、増殖に光を必要とする表面支持生物材料の育成を支援するための組立体において、
少なくとも１つの光源と、
前記光源に隣接して配置される少なくとも１つの容器であって、前記容器は、細長の無菌貯槽を画成する光透過性壁構造を有し、前記細長の貯槽は、実質的に水平配向の主軸を有し、前記貯槽は、前記表面支持生物材料が支持される媒体表面を生成するように、部分的に媒体で満たされることができるような容器と
を備える組立体。
【請求項２】
前記壁構造は、前記主軸に沿って一定の断面を有する請求項１に記載の組立体。
【請求項３】
前記断面は、円形断面である請求項２に記載の組立体。
【請求項４】
前記壁構造は、１０から５０フィートの長さを有する請求項２に記載の組立体。
【請求項５】
前記壁構造は、２から１２インチの直径を有する請求項４に記載の組立体。
【請求項６】
前記壁構造の開端に固定されるエンドキャップをさらに備える請求項２に記載の組立体。
【請求項７】
ラックをさらに備え、複数の前記容器は、前記ラックによって支持され、互いに間隔を置いて垂直方向積重ね体に配置される請求項１に記載の組立体。
【請求項８】
前記光源は、前記垂直方向積重ね体の両側に配置される複数の電気的光源を含む請求項７に記載の組立体。
【請求項９】
前記壁構造は、前記主軸に沿って一定の楕円状断面を有し、前記楕円状断面は、前記実質的に水平の面に延在する長軸を有する請求項１に記載の組立体。
【請求項１０】
前記壁構造は、前記主軸に沿って一定の断面を有し、前記断面は、矩形の形状を有し、前記矩形状構造の２つの対向するコーナ部は、残りの２つの対向するコーナ部よりも前記実質的に水平の面に接近して配置される請求項１に記載の組立体。
【請求項１１】
前記容器は、少なくとも１つのクランプを有し、前記容器壁は、少なくとも２つの部分に分割され、前記部分の各々は、開端を有し、前記部分の前記開端は、互いに隣接して配置され、前記クランプによって一緒に保持される請求項１に記載の組立体。
【請求項１２】
前記クランプは、前記２つの壁構造部分の前記互いに隣接する開端を受けるような大きさと形状を有する開口を画成する請求項１１に記載の組立体。
【請求項１３】
前記クランプは、中央バンドを備え、前記中央バンドは、前記クランプ開口の周囲に延在し、前記クランプの両端に互いに離間した１対の内向きフランジを有し、前記フランジは、前記壁構造部分の前記両端を把持するように構成される請求項１２に記載の組立体。
【請求項１４】
前記壁構造部分の前記両端は、前記内向きフランジと係合するように外側に張り出している請求項１３に記載の組立体。
【請求項１５】
前記クランプは、前記壁構造部分の前記張出し端と前記クランプの前記内向きフランジとの間で前記フランジに沿って延在するシールをさらに備える請求項１４に記載の組立体。
【請求項１６】
前記クランプは、米国食品医薬品局によって認定された複合材料から構成される請求項１５に記載の組立体。
【請求項１７】
前記シールは、米国食品医薬品局によって認定されたエラストマー材料である請求項１５に記載の組立体。
【請求項１８】
前記容器によって画成された開口を通して前記貯槽内に延在するガス供給ノズル、ガス出口ノズル、空気温度プローブ、ｐＨプローブ、試料採取排出管、ガス組成プローブ、及び媒体温度プローブの少なくとも１つをさらに備える請求項１に記載の組立体。
【請求項１９】
媒体を保持し、増殖に光を必要とする表面支持生物材料の育成を支援するための組立体において、
支持ラックと、
前記支持ラックによって保持され、垂直方向に互いに離間して積重ね体に配置された複数の横方向に延在する細長の容器であって、各容器は、細長の殺菌貯槽を画成する光透過性壁構造を有し、前記細長の貯槽は、実質的に水平配向の主軸を有し、前記貯槽は、前記表面支持生物材料が支持される媒体面を生成するように、部分的に前記媒体で満たされることができるような容器と、
前記支持ラックによって保持され、前記容器に隣接して取り付けられる前記容器を照明するための少なくとも１つの光源と
を備える組立体。
【請求項２０】
前記支持ラックは、複数の直立した支持部材と、前記直立した支持部材を相互接続する横方向に延在する上側及び下側支持レールとを備え、前記容器は、前記直立した支持部材に取り付けられる請求項１９に記載の組立体。
【請求項２１】
前記容器の各々は、実質的に均一な断面を有する細長の透明管と、前記細長の貯槽を画成するように前記管の両端を閉鎖するエンドキャップとを備える請求項１９に記載の組立体。
【請求項２２】
前記容器の各々は、端と端が取り付けられた少なくとも２つの細長の透明管と、前記管部分の互いに隣接する端部分を相互接続するクランプとを備える請求項２１に記載の組立体。
【請求項２３】
前記少なくとも１つの光源は、前記ラックに取り付けられた複数の細長の蛍光管を含む請求項１９に記載の組立体。
【請求項２４】
前記蛍光管は、垂直方向に延在し、横方向において互いに離間している請求項２３に記載の組立体。
【請求項２５】
前記蛍光管は、実質的に水平に、かつ前記容器と略平行に延在する請求項２３に記載の組立体。
【請求項２６】
増殖に光を必要とする表面支持生物材料を液体媒体において育成する方法において、
実質的に水平配向の主軸を有する貯槽を画成する少なくとも１つの光透過性容器を設ける段階と、
前記貯槽を部分的な充填レベルに達するまで前記液体媒体で満たし、前記貯槽の長さに沿って延在する前記媒体の上面を画成する段階と、
前記表面支持生物材料を前記貯槽に加え、前記表面支持生物材料を前記媒体の上面に支持する段階と、
前記容器を光源に露出させ、光合成によって前記表面支持生物材料の育成を促進する段階と
を含む方法。
【請求項２７】
前記貯槽を液体媒体で満たし、前記表面支持生物材料を加えた後、前記貯槽を汚染から密封する段階をさらに含む請求項２６に記載の方法。
【請求項２８】
前記光透過性容器を設ける段階は、１つ以上のクランプを用いて、前記光透過性容器の多数の部分を締め付ける段階を含む請求項２７に記載の方法。
【請求項２９】
前記容器に画成された開口を通して、前記貯槽にアクセスする段階をさらに含む請求項２８に記載の方法。
【請求項３０】
前記貯槽にアセクスする前記段階は、ガス供給ノズルを前記クランプ開口を通して挿入し、ガスを前記貯槽に供給する段階を含む請求項２９に記載の方法。
【請求項３１】
前記貯槽にアクセスする前記段階は、温度プローブを前記クランプ開口を通して挿入し、前記貯槽内の温度を測定する段階を含む請求項２９に記載の方法。
【請求項３２】
前記貯槽にアクセスする前記段階は、ｐＨプローブを前記クランプ開口を通して挿入し、前記貯槽内の前記媒体のｐＨを測定する段階を含む請求項２９に記載の方法。
【請求項３３】
前記貯槽にアクセスする前記段階は、試料を前記クランプ開口を通して排出する段階を含む請求項２９に記載の方法。
【請求項３４】
前記貯槽を満たす前記段階は、前記媒体を前記容器の端に画成された開口を通して供給する段階を含む請求項２９に記載の方法。
【請求項３５】
前記貯槽を充填した後、前記液体媒体を前記貯槽から排出する段階をさらに含む請求項２６に記載の方法。
【請求項３６】
温度、媒体ｐＨ、媒体充填レベル、ガス圧、及びガス組成の１つを自動的に測定及び制御する段階をさらに含む請求項２６に記載の方法。
【請求項３７】
前記貯槽内の温度を制御するために、前記容器の周囲に調整空気を供給する段階をさらに供給する段階をさらに含む請求項２６に記載の方法。
【請求項３８】
前記媒体を加熱、及び循環する段階をさらに備える請求項２６に記載の方法。
【請求項３９】
複数の前記容器を垂直方向に互いに離間して積重ね体に取り付ける段階をさらに含む請求項２６に記載の方法。